(57)【特許請求の範囲】
【請求項１】
熱源水を通水させる熱交換器と、送風機とを備えるファンコイルユニットにおいて、室内の温度を検知する温度センサー部と湿度を検知する湿度センサー部と有する温湿度センサーと、前記送風機の風量を制御する制御手段とを具備し、冷房時、冷房の設定温度とその下限温度との間に設定した風量変化動作温度に達するまでは前記送風機により風量を増大させて送風し、前記温度センサー部が前記風量変化動作温度を検知した時点で風量を低下して、低下した風量で前記温度センサー部が設定温度の下限温度又は前記湿度センサー部が設定湿度の下限湿度を検知するまで送風するように、前記制御手段により前記送風機の風量を制御することを特徴とするファンコイルユニットの温湿度制御装置。
【請求項２】
前記低下した風量により送風後、前記温度センサー部が設定温度の下限温度又は前記湿度センサー部が設定湿度の下限湿度を検知した時点で最小の風量に低下して、前記送風機により最小の風量で前記温度センサー部が設定温度又は前記湿度センサー部が設定湿度の上限湿度を検知するまで送風を続け、前記温度センサー部が設定温度の上限温度に達した場合は風量を増大して送風するように、前記制御手段により前記送風機の風量を制御することを特徴とする請求項１記載のファンコイルユニットの温湿度制御装置。
【発明の詳細な説明】
【０００１】
【発明の属する技術分野】
本発明は、ファンコイルユニットの温湿度制御装置に関する。
【０００２】
【従来の技術】
従来のファンコイルユニットの制御は、送風機を風量が一定の状態で運転させ、室内の温度のみを検知し、図５に示すように、室内の温度が設定温度範囲Ｔ１〜Ｔ２から外れると、熱交換器への熱源水の通水をバルブのオン・オフで対応しているものや、図示しないが、室内の温度のみを検知し、この温度が設定温度範囲から外れると、送風機の風量をオン・オフするもの等が知られている。
【０００３】
【発明が解決しようとする課題】
前記した従来のファンコイルユニットの制御では、いずれも室内の温度の制御はできるが、湿度の制御まではできないので、細かな高品質の空気調和を行なうことができない。
【０００４】
本発明は、このような不都合を解消することができる安価なファンコイルユニットの温湿度制御装置を提供することを課題とする。
【０００５】
【課題を解決するための手段】
本発明は、前記の課題を解決するために、熱源水を通水させる熱交換器と、送風機とを備えるファンコイルユニットにおいて、室内の温度を検知する温度センサー部と湿度を検知する湿度センサー部とを有する温湿度センサーと、前記送風機の風量を制御する制御手段とを具備し、冷房時、冷房の設定温度とその下限温度との間に設定した風量変化動作温度に達するまでは前記送風機により風量を増大させて送風し、前記温度センサー部が前記風量変化動作温度を検知した時点で風量を低下して、低下した風量で前記温度センサー部が設定温度の下限温度又は前記湿度センサー部が設定湿度の下限湿度を検知するまで送風するように、前記制御手段により前記送風機の風量を制御することを特徴とする。
【０００６】
本発明によれば、前記低下した風量により送風後、前記温度センサー部が設定温度の下限温度又は前記湿度センサー部が設定湿度の下限湿度を検知した時点で最小の風量に低下して、前記送風機により最小の風量で前記温度センサー部が設定温度又は前記湿度センサー部が設定湿度の上限湿度を検知するまで送風を続け、前記温度センサー部が設定温度の上限温度に達した場合は風量を増大して送風するように、前記制御手段により前記送風機の風量を制御する。
【０００７】
【発明の実施の形態】
本発明の実施の形態を図面を参照して説明する。
【０００８】
図１は、室内に設置されるファンコイルユニットの温湿度制御装置を示す。
【０００９】
同図において、ファンコイルユニット１は、室内空気を取入れる取入れ口２ａ及び吹出し口２ｂを備えたケーシング２内に、その取入れ口２ａに近接してフィルタ３と、その下流側に送風機４と、その下流側に熱源水を通水させる熱交換用コイル５とを備え、該ケーシング２の取入れ口２ａ近傍に室内の温度及び湿度を検知する温湿度センサー６を備えたものである。温湿度センサー６は、温度センサー部と湿度センサー部を備え、その各出力信号は、制御手段例えばコンピュータ７に入力し、該コンピュータ７は、前記各出力信号により送風機４を制御するようになっている。
【００１０】
すなわち、コンピュータ７は、あらかじめ設定温度Ｔｓ、上限温度Ｔ１、下限温度Ｔ３（設定温度より例えば、１℃低い温度。）及び風量変化動作点温度Ｔ２（設定温度より例えば、0.5 ℃低い温度。）と、設定湿度Ｈｓ、上限湿度Ｈ１及び下限湿度Ｈ２と、送風機４の 100％の風量Ｈ、除湿量が最大になる風量Ｌ及び温度、湿度検知精度が維持できる最小風量ＬＬが記憶されており、前記温湿度センサー６の出力信号により、送風機作動部８を介して送風機４を段階制御又は、無段階制御して、室内温度を設定温度Ｔｓの近傍の上限温度Ｔ1 〜下限Ｔ3 内に保つと共に湿度を可能な限り好ましい状態、すなわち上限湿度Ｈ１〜下限湿度Ｈ２に保つように作動する。
【００１１】
前記温湿度制御装置の作用を、図２の温湿度制御動作図及び図３のフローチャートにより、送風機４の段階制御の場合について更に詳細に説明する。
【００１２】
電源をオンにすると、送風機４は100 ％の風量Ｈで送風を開始し、コンピュータ７には、温湿度センサー６により検知された室内の温度及び湿度の出力信号が入力する（図３のステップＳ１）。コンピュータ７は、上限温度Ｔ１より高い室内温度から下限温度Ｔ３となるまでは温湿度センサー６の湿度センサー部に優先して温度センサー部の出力信号で作動するようになっており、温度が下降する過程で風量変化動作点温度Ｔ２を検知（Ｓ２）したとき、送風機４を除湿量が最大となる風量Ｌにし（Ｓ３）、温度が更に風量変化動作点温度Ｔ２より低下して下限温度Ｔ３を検知（Ｓ４）したとき、除湿検出精度が維持できる最小風量ＬＬにする（Ｓ５）。最小風量ＬＬにより湿度は設定湿度Ｈｓに近付くが、それに伴い、温度が上昇し、温度が設定温度Ｔｓになったことを検知したとき（Ｓ６）、温度センサー部の出力により、送風機４を除湿量が最大となる風量Ｌに制御する（Ｓ７）。温度が設定温度Ｔｓ未満で下限温度Ｔ３以上の温度範囲で安定した（例えば１分間）とき、コンピュータ７は、温度センサー部の出力による制御から湿度センサー部の出力による制御に変わり、湿度が下限湿度Ｈ２になったとき（Ｓ８）は、温度、湿度の検出精度が維持できる最小風量ＬＬになるように送風機４を制御する（Ｓ９）。その後、温度が設定温度Ｔｓになったとき（Ｓ１０）は、除湿量が最大となる風量Ｌになるように送風機４を制御し（Ｓ１１）、温度センサー部の出力信号により上限温度Ｔ１を検知したとき（Ｓ１２）には、最大の風量Ｈになるように送風機４を制御する（Ｓ１３）。この制御により温度が風量変化動作点温度Ｔ２に低下したとき（Ｓ１４）、除湿量が最大となる風量Ｌになるように送風機４を制御し（Ｓ１５）、温度が下限温度Ｔ３になったとき（Ｓ１６）は、最小風量ＬＬになるように送風機４を制御する（Ｓ１７）。この制御により湿度が上限湿度Ｈ１に達したとき（Ｓ１８）は、除湿量が最大となる風量Ｌに送風機４を制御する（Ｓ１９）。そして、湿度が下限湿度Ｈ２になった場合は、湿度の検出精度が維持できる最小風量ＬＬになるように送風機４を制御し（Ｓ２０）、これより先に温度が下限温度Ｔ３になった場合にも、最小風量ＬＬになるように送風機４を制御する（Ｓ２１）。その後はステップ１０に戻り、それ以降のステップの制御を行なう。すなわち、温度条件がＴ１〜Ｔ３を満足した後、湿度がＨ１〜Ｈ２になるように送風機４を制御する。
【００１３】
尚、除湿量が最大となる風量Ｌは、試験にて決定するが、下記計算式
除湿量＝｛（入口空気絶対温度）−（出口空気絶対温度）｝×風量×空気の比重
から除湿値が最大となる風量を決める。
【００１４】
図４は、送風機４を無段階制御した場合の本発明実施の温湿度制御装置のフローチャートを示す。
【００１５】
その作用は、前記段階制御の場合とほぼ同様であるので、説明を省略する。
【００１６】
尚、暖房運転の場合は、温度のみを温湿度センサーで検知して風量の調節を行なう。
【００１７】
【発明の効果】
本発明は、簡単な構成で、安価に室内の温度及び湿度の制御ができ、細かな高品質の空気調和を行なうことができるという効果を有する。
【図面の簡単な説明】
【図１】  本発明実施のファンコイルユニットの温湿度制御装置の線図。
【図２】  前記装置の段階制御の場合の温湿度制御動作図。
【図３】  前記装置の段階制御の場合のフローチャート。
【図４】  前記装置の非段階制御の場合の温湿度制御動作図。
【図５】  従来のファンコイルユニットの温湿度制御動作図。
【符号の説明】
１…ファンコイルユニット              ４…送風機
５…熱交換用コイル                    ６…温湿度センサー
７…コンピュータ
【図１】
0004040727.tif 000002
【図２】
0004040727.tif 000003
【図３】
0004040727.tif 000004
【図４】
0004040727.tif 000005
【図５】
0004040727.tif 000006